(57)【要約】【課題】開口の高さと間口幅に合わせて、縦寸法と横幅を容易に調整できる扉と、この扉を開口の上辺に沿って取付けたガイドレールに開閉可能に取付け、装着した扉開閉装置を提供する。【解決手段】扉１は平行な２本の縦枠材２，３と、縦枠材の間に位置する鏡板４とを備え、縦枠材２，３は縦寸法を調整可能であり、鏡板４は縦寸法及び横幅を調整可能であり、縦枠材と鏡板は連結金具５，５を介して連結固定される。縦枠材２，３は切断線Ｓ１で切断して縦寸法を調整し、鏡板４は切断線Ｓ１で切断して縦寸法を調整するとともに、切断線Ｓ２で切断して横幅を調整する。一方の縦枠材と鏡板とを一体的に形成してもよい。【選択図】　図１
2004132079.tif 000002
【特許請求の範囲】
【請求項１】
平行な２本の縦枠材と、該縦枠材の間に位置する鏡板とを備え、前記縦枠材は縦寸法を調整可能であり、前記鏡板は縦寸法及び横幅を調整可能であり、前記縦枠材と鏡板を固定したことを特徴とする収納装置等の開口に装着する扉。
【請求項２】
前記縦枠材と鏡板は、縦寸法を調整可能の連結具を介して連結固定されることを特徴とする請求項１に記載の扉。
【請求項３】
前記連結具は、金属又は樹脂の押出し成形材から形成されることを特徴とする請求項２に記載の扉。
【請求項４】
前記縦枠材の一方と前記鏡板とを一体的に形成し、前記一体化した一方の縦枠材と鏡板は、縦寸法を調整可能であると共に、鏡板の開放側の側辺を縦方向に切断して横幅を調整可能であることを特徴とする請求項１〜３のいずれか１項に記載の扉。
【請求項５】
前記縦枠材は段差部を有し、前記段差部に前記鏡板を嵌合させて、前記縦枠材と鏡板とを固定することを特徴とする請求項１〜４のいずれか１項に記載の扉。
【請求項６】
収納装置等の開口の上辺に沿って取付けたガイドレールに、前記開口を開閉するべく請求項１〜５のいずれか１項に記載の扉を装着した扉開閉装置であって、
前記開口の有効高さ及び間口の有効幅に基づいて前記扉の縦寸法及び横幅を調整した扉を、前記ガイドレールに取付け、前記開口に前記扉を開閉可能に装着したことを特徴とする扉開閉装置。
【発明の詳細な説明】
【０００１】
【発明の属する技術分野】
本発明は、収納装置や間仕切り等の開口に装着する扉に係り、特に、縦寸法と横幅を自由に調整できる扉と、この扉を装着した扉開閉装置に関する。
【０００２】
【従来の技術】
従来、この種の収納装置や間仕切りに装着する扉としては、図９（ａ）に示すように対向する縦枠材と、この縦枠材の上下端、あるいは中間部を連結する複数の横枠材を有する四方框扉がある。この四方框扉の枠材内部は、ガラス板や鏡板が嵌め込まれる。また、この他に図９（ｂ）に示すように、１枚の板材から形成されるフラット扉が使用される。そして、例えば収納装置の開口を塞ぐ扉として、四方框扉やフラット扉２枚をヒンジ機構で連結して折戸として使用している。
【０００３】
さらに、従来の木製戸は、木質パネルの幅方向両側にこの部分の端面を含む所要幅を内包するように縦板を接合している（例えば、特許文献１参照）。
【特許文献１】
特許第３０１０５２４号公報（図１、図３）
【０００４】
【発明が解決しようとする課題】
ところで、前記構造の扉や木製戸を、例えば収納装置の開口に装着するとき、開口の内寸法に合わせて正確に切断して調整する必要があり、調整作業が煩雑となり、作業時間が大幅にかかるという問題点があった。また、左右の縦桟と、縦桟の上部を連結する上桟から構成される開口に対して、ガイドレールを上桟の下面に取付けるインセットタイプの扉開閉装置と、ガイドレールを上桟あるいは壁面の外側に取付けるアウトセットタイプの扉開閉装置とが有るが、インセットタイプの場合とアウトセットタイプの場合により、開口の間口幅の有効寸法と高さの有効寸法が異なるため別の扉を用意する必要があり、また四方框扉やフラット扉等の扉を切断して調整する場合には作業時間が大幅に必要で、扉の構造が複雑で切断作業自体が極めて煩雑となっていた。
【０００５】
本発明は、このような問題に鑑みてなされたものであって、その目的とするところは、高さと間口幅の異なる開口に対して、扉の縦寸法と横幅を容易に切断でき、自由に調整できる扉を提供することにある。また、前記の扉を開口に装着し、高さと間口幅が異なる開口でも、その寸法に合わせて開閉できるように容易に切断して調整できる扉開閉装置を提供することにある。さらに、取付形態が異なる場合でも、容易に調整できる扉と、扉開閉装置を提供することにある。
【０００６】
【課題を解決するための手段】
前記目的を達成すべく、本発明に係る収納装置等の開口に装着する扉は、平行な２本の縦枠材と、該縦枠材の間に位置する鏡板とを備え、縦枠材は縦寸法を調整可能であり、鏡板は縦寸法及び横幅を調整可能であり、縦枠材と鏡板を固定したことを特徴とする。縦枠材と鏡板との固定は、釘止めや接着剤等による固定が好ましい。縦枠材と鏡板の縦寸法のみの調整や、鏡板の横幅のみの調整でもよく、これらの調整は必要に応じて適宜行われる。
【０００７】
前記のごとく構成された本発明の扉は、縦枠材の縦寸法を開口の高さに合わせて切断し、開口の間口幅に合わせた扉の横幅となるように鏡板の横幅を切断し、切断して調整された縦枠材と鏡板とを組み合わせて固定することにより、開口に合わせた扉を容易に形成することができる。縦寸法及び横幅は必要に応じて調整するものであり、縦寸法のみを調整し、横幅は調整しない場合や、逆に横幅のみを調整し、縦寸法を調整しない場合もある。なお、調整される縦寸法及び横幅は、開口と扉とのクリアランスを考慮して僅かに小さくする必要がある。この扉は構成が簡単で、作製が容易であり、横幅は板材からなる鏡板で容易に切断でき、しかも切断面は縦枠材で隠れるため外観が良好となる。また、縦枠材と鏡板の上部切断面は、見えにくく目立たない場所であり、切断面が荒れていても外観上問題無い。
【０００８】
本発明に係る扉の好ましい具体的な態様としては、前記縦枠材と鏡板は、縦寸法を調整可能の連結具を介して連結固定されることを特徴とする。前記連結具は、金属又は樹脂の押出し成形材から形成されることが好ましい。この構成によれば、縦寸法を調整した連結具を介して、縦枠材と鏡板とを強固に連結でき、固定作業が容易となる。連結金具から延出する前面対接部と後面対接部で鏡板を挟み、連結金具から突出する係合爪を縦枠材の係合溝に圧入してから止めねじ等で固定すると、さらに固定作業が容易となる。
【０００９】
本発明に係る扉の好ましい具体的な他の態様としては、縦枠材の一方と鏡板とを一体的に形成し、一体化した一方の縦枠材と鏡板は、縦寸法を調整可能であると共に、鏡板の開放側の側辺を縦方向に切断して横幅を調整可能であることを特徴としている。この構成によれば、一体構成の一方の縦枠材と鏡板は、例えば上部を切断して縦寸法を同時に調整でき、鏡板の開放側の側辺を切断して横幅を調整したあと、他方の縦枠材の縦寸法を切断し、一体構成の一方の縦枠材と鏡板に他方の縦枠材を固定して、開口の寸法に合わせて容易に調整することができる。
【００１０】
本発明に係る扉の好ましい具体的なさらに他の態様としては、前記縦枠材は段差部を有し、段差部に鏡板を嵌合させて縦枠材と鏡板とを固定することを特徴とする。この構成によれば、縦寸法を調整した縦枠材に形成された段差部に、縦寸法及び横幅を調整した鏡板を嵌め込んで組み立て、縦枠材と鏡板とを釘等により固定できるため、扉の組み立て及び作製が容易に行え、縦枠材と鏡板との例えば背面を平坦にできる。
【００１１】
本発明に係る扉開閉装置は、収納装置等の開口の上辺に沿って取付けたガイドレールに、開口を開閉するべく前記に記載の扉を装着したものであって、開口の有効高さ及び間口の有効幅に基づいて扉の縦寸法及び横幅を調整した扉を、ガイドレールに開閉可能に取付け、前記開口に装着したことを特徴とする。前記開口の高さは、ガイドレールの下面からの寸法を基準とする。
【００１２】
このように構成された本発明の扉開閉装置は、高さ及び間口幅が異なる開口でも、その垂直寸法と水平寸法に合わせて扉を容易に切断して調整できるため、扉を開口に容易に装着することができる。また、同じ寸法と幅を有する開口に、ガイドレールをアウトセットタイプで、あるいはインセットタイプで固定する場合でも、それぞれのタイプの有効高さ及び有効幅に合わせて扉を調整し、開閉可能に扉を容易に装着することができる。
【００１３】
【発明の実施の形態】
以下、本発明に係る扉の一実施形態を図面に基づき詳細に説明する。図１は本実施形態に係る扉の斜視図を示し、（ａ）は調整後の完成した状態の斜視図、（ｂ）は（ａ）の縦枠材と鏡板を分解した調整前の斜視図、図２（ａ）は図１（ａ）の要部断面図、（ｂ）、（ｃ）はそれぞれ他の例の要部断面図である。
【００１４】
図１，２において、扉１は平行な２本の縦枠材（縦框材）２，３と、この縦枠材の間に固定した鏡板４とを備え、縦枠材２，３は長手方向の縦寸法を切断して調整でき、鏡板４は縦寸法及び横幅を切断して自由に調整できるものである。縦枠材２，３と鏡板４とは連結金具５，５により連結固定され、連結金具は長手方向の端部を切断することにより縦寸法を調整可能となっている。縦枠材２，３及び鏡板４は木製あるいは樹脂で形成され、切断したとき切断端面が滑らかとなる材質のものから形成されるものが好ましい。
【００１５】
連結金具５は例えばアルミニウムの押出し成形材から形成され、縦枠材２，３の内側面に対接する枠対接部５ａと、この枠対接部から鏡板４の前面と後面に対接し鏡板を挟むように直角に延出する前面対接部５ｂ及び後面対接部５ｃを有している。枠対接部５ａには、縦枠材２，３に形成された係合溝に嵌合する係合爪部５ｄが突出形成され、所定の間隔で止めねじ６ａ用の連結孔が形成してある。また、前面対接部５ｂには、装飾用の前カバー７を固定するための固定リブ５ｅと、先端係合部５ｆが形成されている。後面対接部５ｃには鏡板４と連結するための止めねじ６ｂ用の連結孔が形成されている。前カバー７は例えば樹脂から形成され、前面が装飾面となっている。したがって、止めねじ６ａを縦枠材２，３にねじ込み、止めねじ６ｂを鏡板４にねじ込むことにより、縦枠材２，３と鏡板４は連結金具５を介して連結固定される。なお、連結具として、金属製の連結金具の例を示したが、金属に限られるものでなく樹脂から形成してもよい。
【００１６】
前記の扉１は、縦枠材２，３と鏡板４を分解して、それぞれを切断することにより、扉１の縦寸法と横幅を自由に設定して調整することができる。すなわち、２本の縦枠材２，３の初期の縦寸法がＨ１である場合、例えば上部を切断線Ｓ１で切断して縦寸法をＨ２にすることができる。また、鏡板４の縦寸法Ｈ１の上部を切断してＨ２とすると共に、横幅Ｗ１は開放側の側辺を切断線Ｓ２で切断して横幅をＷ２とすることができる。縦寸法及び横幅の調整は必要に応じて行うものであり、縦寸法のみの調整や、横幅のみの調整で開口に合わせるようにすることも可能である。そして、連結金具５，５及び前カバー７を縦寸法Ｈ２に切断して調整する。
【００１７】
このあと、縦枠材２，３の係合溝２ａ，３ａに連結金具５，５の係合リブ５ｄ，５ｄを圧入し、連結孔に止めねじ６ａをねじ込んで縦枠材２，３と連結金具５，５とを連結固定する、そして、連結金具５の前面対接部５ｂと後面対接部５ｃとの間に鏡板４の側辺を挿入し、止めねじ６ｂを連結孔にねじ込んで連結金具５，５と鏡板４とを固定する。縦枠材２，３と連結金具５，５との固定は、係合リブを係合溝に圧入して保持した状態で固定でき、連結金具５，５と鏡板４との固定は、側辺を前後面の対接部で挟んで固定できるため、連結固定が容易に行える。
【００１８】
このように、容易な固定作業により所望の縦寸法と横幅を有する扉１が出来上がり、連結金具５の固定リブ５ｅに前カバー７の溝を嵌合させて完成できる。切断された鏡板４の側辺は連結金具５で隠れるため、見苦しくなることはない。そして、縦枠材２，３、鏡板４の上部切断面は開口に装着時に開口の縁部に隠れて目立つことがなく、またガイドレールに接近して目立つことがない。
【００１９】
なお、連結金具は、図２（ｂ）に示す連結金具５Ａのように、前記の前カバー７に相当する部分を一体的に形成した前面カバー部５ｇとし、この前面カバー部の表面に装飾用のテープ５ｈ等を貼着するように構成してもよい。また、図２（ｃ）に示す連結金具５Ｂのように、断面が略Ｔ字状をしており、１つの直角部に縦枠材２，３を当接させ、他の直角部に鏡板４を当接させて、止めねじ６ａ，６ｂで連結固定するようにしてもよい。図２（ｂ）、（ｃ）において、図２（ａ）と同じ符号は、実質的に同等の構成である。
【００２０】
つぎに、本発明の他の実施形態を図３，４に基づいて説明する。図３は他の実施形態に係る扉を示し、（ａ）は調整前の斜視図、（ｂ）は（ａ）を分解した斜視図、（ｃ）は調整後の斜視図、図４（ａ）、（ｂ）、（ｃ）はそれぞれ図３（ａ）、（ｂ）、（ｃ）の平面図である。
【００２１】
図３，４において、扉１１は平行な２本の縦枠材１２，１３と、この縦枠材の間に固定した鏡板１４とを備え、この実施形態では一方の縦枠材１２と鏡板１４とは一体的に形成されている。縦枠材１２，１３は長手方向の縦寸法を切断して調整でき、鏡板１４は縦寸法及び横幅を切断して自由に調整できるものである。縦枠材１２，１３及び鏡板１４は前記のものと同様に木製あるいは樹脂で形成され、切断したとき切断端面が滑らかとなる材質のものから形成されると好適である。他方の縦枠材１３は、鏡板１４と対向する面に長手方向に沿って段差部１３ａが形成してある。そして、縦枠材１３の段差部１３ａの深さは、鏡板１４の厚さにあわせて形成され、例えば段差部１３ａに鏡板１４が対接したとき背面が平坦になるように形成されている。なお、鏡板１３は金属板等の板材から形成し、鏡板と縦枠材をビスにより固定するようにしてもよい。
【００２２】
この扉１１は一体の縦枠材１２と鏡板１４から縦枠材１３を分解して、それぞれを切断することにより、扉１１の縦寸法と横幅を自由に設定して調整することができる。すなわち、２本の縦枠材１２，１３の初期の縦寸法がＨ３である場合、例えば上部を切断線Ｓ３で切断して縦寸法をＨ４にすることができる。また、鏡板１４の縦寸法Ｈ３の上部を切断してＨ４とすると共に、横幅Ｗ３は開放側の側辺を切断線Ｓ４で切断して横幅をＷ４とすることができる。この場合も、縦寸法Ｈ４のみの調整や、横幅Ｗ４のみの調整によって開口部に合わせることもできる。
【００２３】
このようにして切断により寸法を調整した一体の縦枠材１２と鏡板１４の開放側の側辺を縦枠材１３の段差部１３ａに嵌合させて、例えば図４（ｃ）に示すように重合部分に釘１５を打ち込んで両者を固定する。切断された側辺は縦枠材１３で隠れるため、見苦しくなることはない。そして、上部切断面は開口に装着時にガイドレール等に接近して目立つことがない。
【００２４】
このように、扉１１は２本の縦枠材１２，１３と、その間に位置する鏡板１４とから構成され構成が極めて簡単であり、縦寸法と横幅の調整が容易に行え、扉１１の作製が容易に行える。なお、縦枠材１２，１３と鏡板１４との固定は接着剤により固定してもよく、接着剤と釘を併用して固定してもよい。この扉１１は収納装置や間仕切りの開口等に、例えば２枚を連結して折戸として使用するものであり、引き戸やドアとしても使用できるものである。
【００２５】
前記のように、扉１１は縦枠材１３の段差部１３ａに鏡板１４の端部を嵌合させて固定するものであるが、図５（ａ）に示す扉１１Ａのように、縦枠材１２にも段差部１２ａを形成し、縦枠材１２の段差部１２ａに鏡板１４を嵌合させて固定してもよい。また、図５（ｂ）に示す扉１１Ｂのように、縦枠材１２Ｂ，１３Ｂに長手方向に縦溝１２ｂ，１３ｂを形成し、この縦溝に鏡板１４Ｂの端部を嵌合させて固定するようにしてもよい。この場合は、扉１１のように背面が平坦とはならないが、縦枠材と鏡板との結合が強固で、両者の固定状態が安定する。
【００２６】
さらに、前記の実施形態と異なる扉で、折戸として使用する扉の例を図６に基づいて説明する。図６（ａ）は他の扉の斜視図、（ｂ）はその分解した斜視図、（ｃ）は調整後の斜視図、（ｄ）は（ｃ）の扉を連結した折戸の斜視図である。図６において、扉２１は前記の扉１１と比較して横幅の小さいものであり、平行な２本の縦枠材２２，２３と、中間に位置する鏡板２４とを備えており、縦枠材２２と鏡板２４は一体的に形成され、鏡板２４の開放端は縦枠材２３の段差部２３ａに嵌合され固定されている。なお、縦枠材２２と鏡板２４は一体でなく、鏡板の両側辺に縦枠材が固定されるようにしてもよい。
【００２７】
この扉２１は、一体化された一方の縦枠材２２と鏡板２４から、他方の縦枠材２３を分解して、縦枠材２３の縦寸法を切断線Ｓ５で切断して調整すると共に、一体化された縦枠材２２と鏡板２４の縦寸法をＨ５〜Ｈ６とし、横幅を切断線Ｓ６で切断してＷ５〜Ｗ６に調整して、開口の高さと間口の幅に合わせた扉２１Ａとすることができる。本実施形態では、このようにして縦寸法と横幅を自由に設定した２枚の扉２１Ａ，２１Ａを、ヒンジ機構２５を用いて連結することにより、折戸２０とすることができる。折戸２０は上部両端に吊車２６が固定され、一端の下部にはガイドローラ２７が固定され、他端の下部には必要に応じてラッチ２８が固定される。
【００２８】
通常、収納装置等の開口に装着される折戸は、図６（ｃ）に示す扉２１Ａを４枚使用し、２枚ずつヒンジ機構２５で連結して２組の折戸２０，２０として使用する。この例に示す折戸の場合も、開口の高さと間口の幅に合わせて折戸を調整するため、収納部や間仕切り等の開口に２組の折戸２０，２０を装着して容易に開閉できる。しかも、縦寸法と横幅の調整は容易に行え、切断面は目立たないため見栄えが悪くなることはない。
【００２９】
前記の如く構成された本実施形態の扉１，１１や折戸２０，２０を収納装置等の開口に、異なる取付形態で取付ける動作について以下に説明する。先ず、図７に示すように壁面３０の開口３１に対して、ガイドレール４０を内側に固定するインセットタイプについて説明する。開口３１は上辺３１ａ及び左右の側辺（一方のみ図示）３１ｂから構成され、開口の縦寸法Ｈは、床面から上辺３１ａまでの高さであり、開口の横幅Ｗは左右の側辺３１ｂ間の距離となる。インセットタイプは、前記したように上辺３１ａを構成する上桟の下方に断面Ｌ字状の内桟３２を固定し、側辺３１ｂの内側に内枠３３を固定し、内桟３２の内側にガイドレール４０を取付け、ガイドレールに開閉可能に２組の折戸２０，２０を装着する。したがって、インセットタイプの有効開口面積は、開口３１の縦寸法Ｈ、横幅Ｗより小さい有効高さＨｉ、有効幅Ｗｉとなる。
【００３０】
２組の折戸２０，２０を構成する４枚の扉２１は、それぞれ２本の縦枠材２２，２３と、縦枠材の間に位置して固定された鏡板２４とを備えている。４枚の扉を高さＨｉ、幅Ｗｉの有効開口に合わせるため、縦枠材２２，２３と鏡板２４の切断を行う。縦枠材の縦寸法は開口の高さＨｉから所定のクリアランス分を減らした寸法に合わせて切断する。同様にして鏡板２４の縦寸法を、縦枠材の高さＨｉに合わせて切断する。鏡板の横寸法は、幅Ｗｉから所定のクリアランス分を減らして４枚分で割り、１枚の有効幅とする。そして、この有効幅に合うように縦枠材の幅を減らし、段差部の幅を加えて所定の幅に切断する。このようにして、縦枠材２２，２３の縦寸法と鏡板２４の縦寸法及び横幅を切断して調整し、扉２１Ａとすることで、開口の有効高さＨｉと有効幅Ｗｉに合わせて容易に調整することができる。
【００３１】
インセット用のガイドレール４０は、上壁と、上壁の両端から下方に垂下する側壁と、側壁の下端より内側に延出して対向する下壁とから構成され、対向する下壁間がレール溝４１となっている。折戸２０を吊下げる吊車２６は、ガイドレール４０内部に挿入され、ローラが下壁の上面に対接してスライドするもので、折戸２０を支持する支持軸はレール溝４１から下方に突出する。
【００３２】
つぎに、壁面３０の開口３１に対してガイドレール５０を外側に固定するアウトセットタイプについて図８を参照して説明する。前記のように開口３１の縦寸法はＨで、横幅はＷに設定されている。アウトセットタイプの場合、上辺３１ａより前方の壁面３０の前面に外桟３５を固定し、側辺３１ｂの外側に外枠３６を固定している。そして、外桟３５の外側にガイドレール５０を取付ける。したがって、アウトセットタイプの有効開口面積は、開口３１の縦寸法Ｈ、横幅Ｗより大きい有効高さＨｏ、有効幅Ｗｏとなる。
【００３３】
アウトセット用のガイドレール５０は、取付壁５１と、取付壁の中央部から前方に突出する上壁と、上壁の先端から下方に垂下する前壁と、取付壁の下端及び前壁の下端から間隔を有して対向する下壁とを備え、下壁間の間隔がレール溝５２となっている。そして取付壁５１の反対面から水平方向に取付リブ５３が突出し、この取付リブは外桟３５の長手方向に形成された取付溝３５ａに挿入されている。ガイドレール５０は取付リブ５３を外桟３５の取付溝３５ａに挿入して固定するため、容易に固定できる。また、ガイドレール５０は外桟３５を介して壁面３０に固定されて補強されるため、重量の大きい折戸を吊下げても変形することはない。折戸２０を吊下げる吊車２６は、ガイドレール５０内部に挿入され、ローラが下壁の上面に対接してスライドするもので、折戸２０を支持する支持軸はレール溝５２から下方に突出する。
【００３４】
このように折戸２０，２０を開口３１に対して、インセットする場合やアウトセットする場合でも、本発明の扉２１を使用した折戸２０，２０は縦寸法及び横幅を、それぞれ自由に調整できるため、インセットタイプやアウトセットタイプに容易に合わせて調整することができる。このため、既存のドア枠を壊して新たな枠寸法に調整することや、壁開口部を調整するというような工事の手間が省け、さらに施工コストが抑えられるという効果が得られる。
【００３５】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、縦枠材は上部を切断して縦寸法を調整する例を示したが、下部を切断して調整するものでもよい。また、鏡板は上部と側辺を切断して調整する例を示したが、鏡板の下部と側辺を切断して調整するものでもよい。
【００３６】
さらに、縦枠材と鏡板との固定は釘止めあるいは接着剤による固定を示したが、ビス止めや、ステップルによる固定等、適宜の手法を採用できる。折戸は２組を使用して開口を開閉するようにした例を示したが、２枚の扉を使用した１組の折戸を使用して開口を開閉するようにしてもよい。また、折戸に限らず、２枚の扉を引戸として使用し開口を開閉するものでもよい。
【００３７】
【発明の効果】
以上の説明から理解できるように、本発明の扉は、縦枠材の縦寸法と、鏡板の縦寸法及び横幅を切断して容易に調整することができる。そして、所定の寸法に調整した縦枠材と鏡板は容易に組み立てることができる。また、本発明の扉開閉装置は、所定の寸法に容易に切断して調整した扉をガイドレールに開閉可能に装着でき、開口の寸法が異なる場合や、取付形態が異なる場合でも、その寸法に容易に合わせて装着することができる。
【図面の簡単な説明】
【図１】本発明に係る扉の一実施形態を示し、（ａ）は調整後の完成した状態の斜視図、（ｂ）は（ａ）の縦枠材と鏡板を分解した調整前の要部斜視図。
【図２】（ａ）は図１（ａ）の要部断面図、（ｂ）、（ｃ）はそれぞれ他の例の要部断面図。
【図３】本発明に係る扉の他の実施形態を示し、（ａ）は調整前の斜視図、（ｂ）は（ａ）を分解した斜視図、（ｃ）は調整後の斜視図。
【図４】（ａ）、（ｂ）、（ｃ）はそれぞれ図３（ａ）、（ｂ）、（ｃ）の平面図。
【図５】（ａ）、（ｂ）はそれぞれ扉のさらに他の実施形態を示す平面図。
【図６】（ａ）はさらに他の扉の斜視図、（ｂ）は（ａ）を分解した斜視図、（ｃ）は調整後の斜視図、（ｄ）は（ｃ）の扉を連結した折戸の斜視図。
【図７】本発明に係る扉を、インセットタイプのガイドレールに装着する説明図で、（ａ）は要部斜視図、（ｂ）は要部正面図。
【図８】本発明に係る扉を、アウトセットタイプのガイドレールに装着する説明図で、（ａ）は要部斜視図、（ｂ）は要部正面図。
【図９】従来の扉の例として（ａ）は四方框扉を使用した折戸の斜視図、（ｂ）はフラット扉を使用した折戸の斜視図。
【符号の説明】
１，１１，１１Ａ，１１Ｂ，２１，２１Ａ　扉、
２，３，１２，１３，２２，２３　縦枠材、
３ａ，１３ａ，２３ａ　段差部、
４，１４，２４　鏡板、
５　連結金具（連結具）、
２０　折戸、
２５　ヒンジ機構、
３１　開口、
４０，５０　ガイドレール、
Ｈ１，Ｈ３，Ｈ５　調整前の扉の縦寸法、
Ｗ１，Ｗ３，Ｗ５　調整前の扉の横幅、
Ｈ２，Ｈ４，Ｈ６　調整後の扉の縦寸法、
Ｗ２，Ｗ４，Ｗ６　調整後の扉の横幅、
Ｈ　開口の高さ、
Ｗ　開口の間口幅、
Ｈｉ　インセットタイプの開口の有効高さ、
Ｗｉ　インセットタイプの開口の有効幅、
Ｈｏ　アウトセットタイプの開口の有効高さ、
Ｗｏ　アウトセットタイプの開口の有効幅
【図１】
2004132079.tif 000003
【図２】
2004132079.tif 000004
【図３】
2004132079.tif 000005
【図４】
2004132079.tif 000006
【図５】
2004132079.tif 000007
【図６】
2004132079.tif 000008
【図７】
2004132079.tif 000009
【図８】
2004132079.tif 000010
【図９】
2004132079.tif 000011